(57)【特許請求の範囲】
【請求項１】
放電電極と、
板状を呈する電極部を有し、前記電極部が前記放電電極に対向する対向電極と、
前記放電電極及び前記対向電極が間に配置された第１フレーム及び第２フレームと、
前記第１フレームに設けられ、前記電極部の一側面に、前記第１フレーム側から対向する第１リブと、
前記第２フレームに設けられ、前記第１リブとによって前記電極部の位置を拘束するため、前記電極部の他側面に、前記第２フレーム側から対向する第２リブと、
を備えた電界及び放電発生装置。
【請求項２】
前記第１フレームは、空気を通過させるための第１開口が形成され、
前記第２フレームは、空気を通過させるための第２開口が形成され、
前記電極部は、前記第１フレームの開口面及び前記第２フレームの開口面に対して斜めに配置され、
前記第１リブ及び前記第２リブは、前記電極部を挟み込むように配置された
請求項１に記載の電界及び放電発生装置。
【請求項３】
前記第１リブは、前記電極部に対向する面が、前記電極部の一側面の傾斜に合わせて斜めに形成され、
前記第２リブは、前記電極部に対向する面が、前記電極部の他側面の傾斜に合わせて斜めに形成された
請求項２に記載の電界及び放電発生装置。
【請求項４】
前記第２フレームとによって前記対向電極の一端部を挟み込み、前記対向電極を支持する第１電極支持部と、
前記第２フレームとによって前記対向電極の他端部を挟み込み、前記対向電極を支持する第２電極支持部と、
を備え、
前記放電電極は、前記第１電極支持部及び前記第２電極支持部によって方向転換され、且つ支持される請求項１から請求項３の何れかに記載の電界及び放電発生装置。
【請求項５】
前記第１電極支持部に設けられた支持リブと、
を備え、
前記放電電極は、断面が矩形形状を呈する板状を呈し、
前記支持リブは、前記放電電極の端面が前記電極部の側面に対向するように、前記放電電極を支持する
請求項４に記載の電界及び放電発生装置。
【請求項６】
前記第２フレームに設けられた支持リブと、
を備え、
前記支持リブは、前記第２開口の中央部分に配置され、前記第２フレーム側から前記放電電極を支持する請求項２から請求項４の何れかに記載の電界及び放電発生装置。
【請求項７】
前記放電電極は、断面が矩形形状を呈する板状を呈し、
前記支持リブは、前記放電電極の側面が前記電極部の側面に対向するように、前記放電電極を支持する
請求項６に記載の電界及び放電発生装置。
【請求項８】
請求項１から請求項７の何れかに記載された前記電界及び放電発生装置を備えた空気調和装置。
【請求項９】
送風ファンと、
請求項１から請求項７の何れかに記載された前記電界及び放電発生装置と、
を備え、
前記電界及び放電発生装置は、前記送風ファンが駆動されることによって内部に空気が取り込まれる空気調和装置。
【発明の詳細な説明】
【技術分野】
【０００１】
この発明は、電界を形成し、電極間に放電を発生させる電界及び放電発生装置と、電界及び放電発生装置を備えた空気調和装置とに関するものである。
【背景技術】
【０００２】
下記特許文献１には、電気集塵機の従来技術が開示されている。
特許文献１に記載された集塵機には、高電位側の放電電極と接地された対向電極とが備えられている。放電電極は、イオン化線からなる。放電電極は、その中間部分が、支持部材によって支持されている。その支持部材は、メインフレームに固定されている。【０００３】
対向電極は、金属板を所定の形状に切断し、曲げ加工を施すことによって製作される。対向電極には、放電電極に対向する電極部が備えられている。対向電極は、上部フレームに取り付けられている。
【先行技術文献】
【特許文献】
【０００４】
【特許文献１】日本特開平２−１６４４６６号公報
【発明の概要】
【発明が解決しようとする課題】
【０００５】
特許文献１に記載のものでは、上部フレームをメインフレームに取り付けることによって、対向電極の電極部を放電電極に対向させている。このため、対向電極の電極部と放電電極との位置がずれ易く、均一な電界を形成することができない場合があった。電界が均一に形成されない場合、安定した放電状態を維持することができず、装置として十分な性能を発揮できなくなってしまう。【０００６】
金属板の曲げ加工は、角度の精度が出にくい。特許文献１に記載のものでは、対向電極の電極部を他の部材で支持していないため、対向電極の電極部と放電電極との位置ずれが生じ易い。また、特許文献１に記載のものでは、経年変化によって電極部の角度が変わる恐れもあった。【０００７】
この発明は、上述のような課題を解決するためになされたもので、その目的は、放電電極と対向電極との位置ずれを防ぎ、均一な電界を形成することができる電界及び放電発生装置と、そのような電界及び放電発生装置を備えた空気調和装置とを提供することである。
【課題を解決するための手段】
【０００８】
この発明に係る電界及び放電発生装置は、放電電極と、板状を呈する電極部を有し、電極部が放電電極に対向する対向電極と、放電電極及び対向電極が間に配置された第１フレーム及び第２フレームと、第１フレームに設けられ、電極部の一側面に、第１フレーム側から対向する第１リブと、第２フレームに設けられ、第１リブとによって電極部の位置を拘束するため、電極部の他側面に、第２フレーム側から対向する第２リブと、を備えたものである。
この発明に係る空気調和装置は、上記電界及び放電発生装置を備えたものである。
【発明の効果】
【０００９】
この発明によれば、放電電極と対向電極との位置ずれを防ぎ、均一な電界を形成することができるようになる。
【図面の簡単な説明】
【００１０】
【図１】この発明の実施の形態１における電界及び放電発生装置を示す分解斜視図である。
【図２】この発明の実施の形態１における電界及び放電発生装置の断面を示す図である。
【図３】この発明の実施の形態１における電界及び放電発生装置の電極支持部を示す斜視図である。
【図４】この発明の実施の形態１における電界及び放電発生装置の要部を示す斜視図である。
【図５】この発明の実施の形態１における電界及び放電発生装置の対向電極を示す斜視図である。
【図６】対向電極の電極部の支持構造を説明するための図である。
【図７】対向電極の電極部の他の支持構造を示す図である。
【図８】対向電極の電極部の他の支持構造を示す図である。
【図９】この発明の実施の形態２における電界及び放電発生装置の要部を示す斜視図である。
【図１０】この発明の実施の形態２における電界及び放電発生装置の電極支持部を示す斜視図である。
【図１１】この発明の実施の形態２における放電電極の取付方法を説明するための図である。
【発明を実施するための形態】
【００１１】
添付の図面を参照して、本発明を詳細に説明する。各図において、同一又は相当する部分には、同一の符号を付している。重複する説明については、適宜簡略化或いは省略している。
【００１２】
実施の形態１．
図１はこの発明の実施の形態１における電界及び放電発生装置を示す分解斜視図である。図２はこの発明の実施の形態１における電界及び放電発生装置の断面を示す図である。図１では、上が装置の風上側、下が装置の風下側を示している。
【００１３】
図１及び図２に示すように、電界及び放電発生装置は、上部フレーム１、放電電極２、バネ３、給電部４、電極支持部５及び６、対向電極７、下部フレーム８を備えている。電界及び放電発生装置の外形は、上部フレーム１及び下部フレーム８により形成される。即ち、上部フレーム１と下部フレーム８との間に、放電電極２、バネ３、給電部４、電極支持部５及び６、対向電極７が配置されている。
【００１４】
上部フレーム１は、装置の最も風上側に配置される部分を構成する。上部フレーム１は、例えば、全体が樹脂によって形成される。上部フレーム１には、外部の空気を装置の内部に取り込む（通過させる）ための開口１ａが形成されている。上部フレーム１には、格子９、上部リブ１０、取っ手１１が設けられている。
【００１５】
格子９は、人の指が開口１ａから装置の内部に入らないようにするために設けられている。格子９によって区切られた各孔が、開口１ａである。開口１ａは、上部フレーム１の上面（図１のＸ−Ｙ平面に平行な面）に、所定の幅（図１のＸ軸方向距離）及び所定の奥行き（図１のＹ軸方向距離）に渡って形成されている。
【００１６】
上部リブ１０は、例えば、三角形状を呈する板状部材からなる。上部リブ１０は、格子９に設けられ、先端が装置の内部側（下方）に突出する。上部リブ１０は、上部フレーム１の開口１ａが形成された面（以下、上部フレーム１の「開口面」ともいう。）に対して垂直に配置される。上部リブ１０は、上部フレーム１に一つ或いは複数備えられる。格子９及び上部リブ１０は、例えば、全体が樹脂からなり、上部フレーム１の本体部分に一体的に設けられる。
取っ手１１は、人が装置を手で持つ際に掴むためのものである。
【００１７】
下部フレーム８は、装置の最も風下側に配置される部分を構成する。下部フレーム８は、例えば、全体が樹脂によって形成される。下部フレーム８には、開口１ａから装置の内部に取り込まれた空気を、装置の外部に排出する（通過させる）ための開口８ａが形成されている。下部フレーム８には、格子１２、下部リブ１３、支持リブ１４、凸部１５が設けられている。
【００１８】
格子１２は、人の指が開口８ａから装置の内部に入らないようにするために設けられている。格子１２によって区切られた各孔が、開口８ａである。開口８ａは、下部フレーム８の下面（図１のＸ−Ｙ平面に平行な面）に、所定の幅（図１のＸ軸方向距離）及び所定の奥行き（図１のＹ軸方向距離）に渡って形成されている。下部フレーム８の開口８ａが形成された面（開口面）は、上部フレーム１の開口面に平行に配置されている。装置の内部に部品が存在しなければ、開口８ａは、開口１ａから高さ方向（図１のＺ軸方向）に所定の距離離れた位置で、開口１ａに対向するように配置される。
【００１９】
下部リブ１３は、例えば、三角形状を呈する板状部材からなる。下部リブ１３は、上部リブ１０とによって一対の支持部材を形成する。下部リブ１３は、格子１２に設けられ、先端が装置の内部側（上方）に突出する。下部リブ１３は、下部フレーム８の開口面に対して垂直に配置される。下部リブ１３は、下部フレーム８に、上部リブ１０と同数だけ備えられる。
【００２０】
支持リブ１４は、例えば、断面が四角形状を呈する棒状部材からなる。支持リブ１４は、格子１２に設けられ、先端が、装置の内部側（上方）に突出する。支持リブ１４は、下部フレーム８の開口面に対して垂直に配置される。また、支持リブ１４は、開口８ａの中央部分に配置される。支持リブ１４の上面には、開口８ａの幅方向（図１のＸ軸方向）に、スリット１４ａ（図１及び図２においては図示せず）が形成されている。
格子１２及び下部リブ１３、支持リブ１４、凸部１５は、例えば、全体が樹脂からなり、下部フレーム８の本体部分に一体的に設けられる。
【００２１】
放電電極２は、要部が、金属製の長尺な板状部材からなる。放電電極２を構成する金属としては、例えば、タングステンや銅、ニッケル、ステンレス、亜鉛、鉄、モリブデン等が好適である。放電電極２を、上記金属を主成分とする合金で構成したり、上記金属の表面に銀や金、白金といった貴金属をメッキしたもので構成したりしても良い。
【００２２】
放電電極２は、その断面が、短辺及び長辺によって周囲が囲まれた矩形形状を呈する。放電電極２の断面は、例えば、短辺の長さが０．０１乃至０．１ｍｍ、長辺の長さが０．１乃至１．０ｍｍである。放電電極２の各端部には、リング形状を呈する端子２ａが取り付けられている。放電電極２は、中間部が２乃至４回程度折り返された状態で、装置内に収納されている。
【００２３】
バネ３は、放電電極２に所定の張力を付与するためのものである。バネ３は、金属製の部材からなる。放電電極２は、各端部が、端子２ａを介してバネ３に連結されている。放電電極２は、バネ３によって長手方向に引っ張られた状態で、給電部４に取り付けられている。
給電部４は、金属製の部材からなる。給電部４は、放電電極２（及び対向電極７間）に４乃至７ｋＶの電圧を供給するための電源（図示せず）に接続されている。
【００２４】
図３はこの発明の実施の形態１における電界及び放電発生装置の電極支持部（電極支持部５）を示す斜視図である。
電極支持部５及び６は、装置内で放電電極２及び対向電極７を支持するためのものである。電極支持部５及び６は、例えば、全体が樹脂からなる。電極支持部５は、下部フレーム８の一側の端部に取り付けられている。電極支持部６は、下部フレーム８の他側の端部に取り付けられている。放電電極２は、装置の一端部側で電極支持部５により、また、他端部側で電極支持部６により方向転換され、且つ支持される。電極支持部５及び６には、放電電極２を折り返すための部材や、放電電極２を適切な位置に配置するための部材が備えられている。
【００２５】
図４はこの発明の実施の形態１における電界及び放電発生装置の要部を示す斜視図である。図４は、装置の中央部において放電電極２を支持する構造を示している。
放電電極２は、上述したように、装置の一端部側で電極支持部５に、他端部側で電極支持部６に支持される。また、放電電極２は、装置の中央部において、支持リブ１４によって支持される。支持リブ１４の上面に形成されたスリット１４ａは、上方に開口する。スリット１４ａの開口幅は、例えば、０．１乃至１．０ｍｍに形成されている。放電電極２は、縦向きでスリット１４ａに挿入され、支持リブ１４によって下方（下部フレーム８側）から支持される。
【００２６】
放電電極２は、装置の端部で電極支持部５及び６に、また、装置の中央部で支持リブ１４に支持されることにより、全体が、上部フレーム１の開口面（及び、下部フレーム８の開口面）に対して垂直に配置される。放電電極２は、装置内で適切に支持されると、断面の一方の短辺を形成する面（端面）が開口１ａに、他方の短辺を形成する面（端面）が開口８ａに対向する。
【００２７】
図５はこの発明の実施の形態１における電界及び放電発生装置の対向電極を示す斜視図である。
対向電極７は、金属製の板状部材に、切断と曲げ加工とを行うことによって製作される。対向電極７を構成する金属としては、例えば、タングステンや銅、ニッケル、ステンレス、亜鉛、鉄、モリブデン等が好適である。対向電極７を、上記金属を主成分とする合金で構成したり、上記金属の表面に銀や金、白金といった貴金属をメッキしたもので構成したりしても良い。
【００２８】
対向電極７は、例えば、電極部７ａ、折り曲げ部７ｂ、水平部７ｃを備えている。
電極部７ａは、開口１ａの幅（図１のＸ軸方向距離）と同程度の幅、或いは、開口１ａの幅よりも大きな幅の板状を呈する。電極部７ａは、装置の奥行き方向（図１のＹ軸方向）に、複数枚が並んで配置される。各電極部７ａは、等間隔に、且つ、互いに平行に配置される。電極部７ａは、上部フレーム１の開口面（及び、下部フレーム８の開口面）に対し、所定の角度で傾斜するように斜めに配置される。
【００２９】
電極部７ａは、隣接するものの端部同士が、折り曲げ部７ｂ及び水平部７ｃによって接続されている。折り曲げ部７ｂは、上部フレーム１側に突出するように折り曲げられた三角状を呈する。折り曲げ部７ｂは、電極部７ａの各端部に設けられている。水平部７ｃは、平板状を呈し、上部フレーム１の開口面と平行に配置される。水平部７ｃは、隣接する折り曲げ部７ｂを接続する。対向電極７の端部は、折り曲げ部７ｂと水平部７ｃとが交互に配置された波状を呈している。
【００３０】
対向電極７は、一側の端部（即ち、折り曲げ部７ｂ及び水平部７ｃによって波状に形成された部分）が、電極支持部５と下部フレーム８とによって上下から挟み込まれ、所定の位置に固定される。電極支持部５の下面には、折り曲げ部７ｂに対応した三角形状の凹部５ａと、水平部７ｃに対応した平面部５ｂとが交互に形成されている。同様に、対向電極７は、他側の端部が、電極支持部６と下部フレーム８とによって上下から挟み込まれ、所定の位置に固定される。電極支持部６の下面には、折り曲げ部７ｂに対応した三角形状の凹部と、水平部７ｃに対応した平面部とが交互に形成されている。
【００３１】
対向電極７が装置内に適切に配置されると、電極部７ａの側面が、傾いた状態で開口１ａ及び８ａに対向する。なお、折り曲げ部７ｂ及び水平部７ｃは、開口１ａ及び８ａに対向しない。折り曲げ部７ｂ及び水平部７ｃは、装置内で空気が流れる箇所に露出しない。このため、装置内に発生した気流は、折り曲げ部７ｂ及び水平部７ｃによってその流れを阻害されることはない。
【００３２】
次に、図６乃至図８も参照し、電極部７ａの支持構造について詳細に説明する。
図６は対向電極の電極部の支持構造を説明するための図である。対向電極７の電極部７ａは、中間部が、上部リブ１０及び下部リブ１３によって支持される。
【００３３】
図６に示すように、上部リブ１０の端面１０ａは、上部フレーム１の開口面に対して斜めに配置される。上部リブ１０は、端面１０ａが、電極部７ａの上側（開口１ａ側）を向く側面に対し、僅かな間隙を有して上方（上部フレーム１側）から対向するように配置される。或いは、上部リブ１０は、端面１０ａが、電極部７ａの上側を向く側面に軽く接触するように、上記上側を向く側面に対向して配置される。即ち、上部リブ１０は、対向電極７が装置内に適切に配置された時の電極部７ａの傾斜に合わせて、端面１０ａが形成されている。
【００３４】
上部リブ１０は、下部リブ１３とによって一対の支持部材を構成する。下部リブ１３は、上部リブ１０と同一の平面を形成するように、上部リブ１０と平行に配置される。下部リブ１３は、端面１３ａが、端面１０ａに平行になるように形成されている。このため、端面１３ａは、上部フレーム１の開口面に対して斜めに配置される。下部リブ１３は、端面１３ａが、電極部７ａの下側（開口８ａ側）を向く側面に対し、僅かな間隙を有して下方（下部フレーム８側）から対向するように配置される。或いは、下部リブ１３は、端面１３ａが、電極部７ａの下側を向く側面に軽く接触するように、上記下側を向く側面に対向して配置される。即ち、下部リブ１３は、対向電極７が装置内に適切に配置された時の電極部７ａの傾斜に合わせて、端面１３ａが形成されている。
【００３５】
電極部７ａは、中間部が上部リブ１０及び下部リブ１３によって挟み込まれるように支持され、その位置（傾斜）が拘束される。上部リブ１０及び下部リブ１３は、端面によって電極部７ａを保持する構造を備えていれば、その形状は如何なるものであっても構わない。図７及び図８は、対向電極の電極部の他の支持構造を示す図である。図７は、上部リブ１０及び下部リブ１３が半円状を呈する場合を示している。図８は上部リブ１０及び下部リブ１３が台形状を呈する場合を示している。
【００３６】
上部リブ１０は、端面１０ａの長さ（図６のＡ１）が、電極部７ａの傾斜長さ（即ち、上部フレーム１の開口面に近接する縁部と下部フレーム８の開口面に近接する縁部との距離（図６のＡ））の１／３以上であることが好ましい。同様に、下部リブ１３に関しても、端面１３ａの長さが、電極部７ａの傾斜長さの１／３以上であることが好ましい。かかる構成であれば、電極部７ａを広い面積で受けることができ、電極部７ａを確実に保持することができる。また、端面１０ａ及び１３ａの長さを十分に確保できれば、リブの根元部分を太く強固にすることができる。このため、リブの欠損を防止でき、長期に渡って電極部７ａを適切な位置で保持することが可能となる。
【００３７】
本実施の形態では、上部リブ１０の下端部が、下部リブ１３の上端部よりも１乃至１０ｍｍ程度下方に配置されている。即ち、上部リブ１０の下部と下部リブ１３の上部とは、一部が高さ方向（図１のＺ軸方向）に重なるように配置されている。かかる構成であれば、電極部７ａを上下から強固に抑えることができ、電極部７ａを更に強い力で保持することができる。
【００３８】
更に、電極部７ａは、装置内の空気の流れ（即ち、開口１ａから装置内に取り込まれ、開口８ａから装置の外に排出される空気の流れ）を阻害しない傾斜で保持されることが好ましい。電極部７ａの傾斜は、風が装置内に流入する方向（上部フレーム１の開口面の法線方向）に対する角度（図６のθ）が、４５度以下であることが好ましい。本装置を製品に搭載すると、本装置が製品内の空気の流れを阻害することにより、製品の消費電力が増加する。電極部７ａが上記傾斜角度で保持されていれば、本装置を製品に搭載した場合であっても、その製品の消費電力の増加を１Ｗ以下に抑制することができる。
【００３９】
上記構成を有する電界及び放電発生装置では、外部に設置された送風ファン（図示せず）が駆動されると、外部の空気が開口１ａから装置内に取り込まれる。この時、空気中に浮遊していた細菌、かび、ウイルス等も、開口１ａから装置内に取り込まれる。電界及び放電発生装置では、対向電極７が接地され、放電電極２に４乃至７ｋＶの電圧が印加される。放電電極２と対向電極７との間には電界が形成され、コロナ放電が発生する。
【００４０】
開口１ａから装置内に進入した細菌、かび、ウイルスは、電界及び放電が加わることにより、放電電極２と対向電極７との間を通過する際に破壊され、死滅する。死滅した細菌、かび、ウイルスは、空気と共に開口８ａから装置の外に排出される。これにより、室内の生きた浮遊細菌、かび、ウイルスを除去・不活性化することができる。
【００４１】
次に、上記構成を有する電界及び放電発生装置の組立方法について説明する。
先ず、下部フレーム８を、装置の外形を形成する面を下に向けて置く。この状態では、下部リブ１３及び支持リブ１４が、上方を向いて突出するように配置される。次に、下部フレーム８の上を向いた面に、対向電極７を載せて適切な位置に配置する。
【００４２】
下部フレーム８には、開口１ａの両側に凸部１５が設けられている。凸部１５は、対向電極７の折り曲げ部７ｂの凹形状に対応した三角形状を呈する。折り曲げ部７ｂの凹み部分に凸部１５が収まるように対向電極７を下部フレーム８上に置くと、対向電極７が下部フレーム８に対して適切な位置に配置される。
【００４３】
かかる状態では、電極部７ａが、下部フレーム８の開口面に対して所定の角度で傾斜するように、斜めに配置される。即ち、電極部７ａの下側を向く側面が、傾いた状態で開口８ａに対向する。下部リブ１３は、電極部７ａに直交するように配置される。また、下部リブ１３は、端面１３ａが、電極部７ａの下側を向く側面に下方から対向するように、電極部７ａの上記傾斜面（下側を向く側面）に平行に配置される。支持リブ１４は、電極部７ａ間に配置される。
【００４４】
次に、電極支持部５を下部フレーム８の一端部に取り付ける。この時、凹部５ａに折り曲げ部７ｂが収まるように電極支持部５を配置し、電極支持部５と下部フレーム８とによって対向電極７の一側の端部を上下から挟み込む。同様に、電極支持部６を下部フレーム８の他端部に取り付ける。電極支持部６の下面に形成された凹部に折り曲げ部７ｂが収まるように電極支持部６を配置し、電極支持部６と下部フレーム８とによって対向電極７の他側の端部を上下から挟み込む。これにより、対向電極７の両端部が固定される。
給電部４は、電極支持部６に取り付けられている。
【００４５】
次に、放電電極２を、バネ３によって長手方向に張力を付与した状態で、給電部４に接続する。放電電極２は、支持リブ１４のスリット１４ａや電極支持部５及び６に形成されたスリットに、上方から挿入される。これにより、放電電極２は、支持リブ１４と電極支持部５及び６とによって、断面の長辺を形成する面（側面）が下部フレーム８の開口面に対して垂直となるように、縦向きに支持される。また、放電電極２は、電極支持部５及び６によって方向転換され、一部が、平行に配置された２枚の電極部７ａ間に配置される。このため、放電電極２の一側の側面は、上記２枚の電極部７ａのうち、一方の電極部７ａの側面に斜めに対向する。放電電極２の他側の側面は、上記２枚の電極部７ａのうち、他方の電極部７ａの側面に斜めに対向する。
【００４６】
次に、上部フレーム１を下部フレーム８に上方から取り付ける。上部フレーム１が下部フレーム８に適切に取り付けられると、上部フレーム１の開口面は、下部フレーム８の開口面に平行に配置される。また、対向電極７の電極部７ａは、上部フレーム１の開口面に対して所定の角度で傾斜するように、斜めに配置される。即ち、電極部７ａの上側を向く側面が、傾いた状態で開口１ａに対向する。上部リブ１０は、電極部７ａに直交するように配置される。また、上部リブ１０は、端面１０ａが、電極部７ａの上側を向く側面に上方から対向するように、電極部７ａの上記傾斜面（上側を向く側面）に平行に配置される。
【００４７】
このようにして組み立てられた電界及び放電発生装置では、対向電極７の電極部７ａを、上部リブ１０及び下部リブ１３によって上下から挟み込むようにして支持することができる。特に、本実施の形態では、上部リブ１０の下端部と下部リブ１３の上端部とを、電極部７ａを間に挟んで対向するように配置している。このため、電極部７ａを確実に、且つ長期に渡って適切な位置（傾斜角度）に拘束することができる。放電電極２と対向電極７（の電極部７ａ）との位置ずれが生じないため、組立直後から長期に渡って、放電電極２と対向電極７との間に均一な電界を形成することができ、装置の性能低下を防止できる。
【００４８】
上記構成の電界及び放電発生装置では、下部リブ１３を電極部７ａの下方から対向させ、上部リブ１０を電極部７ａの上方から対向させているため、組み立ても容易である。放電電極２を上部フレーム１の開口面（及び、下部フレーム８の開口面）に対して垂直に配置しているため、放電電極２の取り付けも容易に行うことができる。
【００４９】
また、放電電極２は、装置の一端部側で電極支持部５に、他端部側で電極支持部６に支持され、装置の中央部において、支持リブ１４によって下方から支持されている。このため、放電電極２は、対向電極７との電極間距離を装置の幅方向に渡って一定に保つことができ、安定した放電状態を長期に維持することができる。
【００５０】
実施の形態２．
実施の形態１では、放電電極２の端面（断面の短辺を形成する面）を上部フレーム１の開口面（及び、下部フレーム８の開口面）に対向させる配置について、具体的に説明した。本実施の形態では、放電電極２を横向きに配置する場合について説明する。
図９はこの発明の実施の形態２における電界及び放電発生装置の要部を示す斜視図である。図１０はこの発明の実施の形態２における電界及び放電発生装置の電極支持部を示す斜視図である。図１０は、装置の一端部側に配置される電極支持部５を示している。
【００５１】
本実施の形態では、電極支持部５に、支持リブ１６が設けられている。支持リブ１６は、例えば、断面が四角形状を呈する棒状部材からなる。支持リブ１６は、例えば、電極支持部５の放電電極２を折り返すための部材に設けられている。支持リブ１６は、下部フレーム８の開口面に対して水平に配置され、先端が、側方に突出する。例えば、支持リブ１６は、放電電極２を折り返す方向に合わせて、電極支持部５に複数備えられる。支持リブ１６の先端面（側方を向く面）には、水平方向に、スリット１６ａが形成されている。
【００５２】
放電電極２は、装置の一側の端部において、電極支持部５によって方向転換される。また、本実施の形態では、放電電極２は、装置の一側の端部において、支持リブ１６によって支持される。
【００５３】
図１１はこの発明の実施の形態２における放電電極の取付方法を説明するための図である。本実施の形態では、放電電極２を、支持リブ１６のスリット１６ａに側方から挿入し、支持リブ１６に放電電極２を支持させる。そして、電極支持部５及び６の所定の部材に沿って放電電極２を折り返し、放電電極２を給電部４に接続する。実施の形態１では、放電電極２は、断面の長辺を形成する面（側面）で折り曲げられた。本実施の形態では、放電電極２は、断面の短辺を形成する面（端面）で折り曲げられる。
【００５４】
電極支持部６にも、必要に応じて、上記支持リブ１６と同様の構成を有する支持リブが設けられる。かかる場合、放電電極２は、電極支持部６に設けられた支持リブのスリットにも、側方から挿入される。
なお、本実施の形態では、下部フレーム８に、支持リブ１４は備えられていない。
【００５５】
放電電極２は、装置内で適切に支持されると、断面の長辺を形成する上側の面（側面）が開口１ａに対向する。また、放電電極２は、断面の長辺を形成する下側の面（側面）が開口８ａに対向する。即ち、放電電極２の端面は、上部フレーム１の開口面及び下部フレーム８の開口面に対して垂直に配置される。放電電極２は、電極支持部５及び６によって方向転換され、一部が、平行に配置された２枚の電極部７ａ間に配置される。このため、放電電極２の一側の端面は、上記２枚の電極部７ａのうち、一方の電極部７ａの側面に斜めに対向する。放電電極２の他側の端面は、上記２枚の電極部７ａのうち、他方の電極部７ａの側面に斜めに対向する。
【００５６】
上記構成を有する電界及び放電発生装置であれば、放電電極２を横向きの状態で安定して支持することができる。このため、放電電極２と対向電極７との電極間距離を装置の幅方向に渡って一定に保つことができ、安定した放電状態を長期に維持することができる。
【００５７】
その他の構成や組立方法、機能は、実施の形態１と同様である。このため、本構成の装置であっても、実施の形態１と同様の効果を奏することができる。
【産業上の利用可能性】
【００５８】
この発明に係る電界及び放電発生装置は、例えば、ルームエアコン、パッケージエアコン、クリーナー、ハンドドライヤー、空気清浄機、加湿機、除湿機、冷蔵庫といった製品の内部に搭載することができる。
【符号の説明】
【００５９】
１  上部フレーム
１ａ、８ａ  開口
２  放電電極
２ａ  端子
３  バネ
４  給電部
５、６  電極支持部
５ａ  凹部
５ｂ  平面部
７  対向電極
７ａ  電極部
７ｂ  折り曲げ部
７ｃ  水平部
８  下部フレーム
９、１２  格子
１０  上部リブ
１０ａ、１３ａ  端面
１１  取っ手
１３  下部リブ
１４、１６  支持リブ
１４ａ、１６ａ  スリット
１５  凸部
【図１】
0005532183.tif 000002
【図２】
0005532183.tif 000003
【図３】
0005532183.tif 000004
【図４】
0005532183.tif 000005
【図５】
0005532183.tif 000006
【図６】
0005532183.tif 000007
【図７】
0005532183.tif 000008
【図８】
0005532183.tif 000009
【図９】
0005532183.tif 000010
【図１０】
0005532183.tif 000011
【図１１】
0005532183.tif 000012